(57)【特許請求の範囲】
【請求項１】
上面を形成する仕上げ材の下方に、その仕上げ材が載る床材を備える床配線用の二重床において、配線ケーブルを、前記二重床内に設けられる上方に開口する空間部から引き出す、または前記空間部に引き込むための、ケーブル案内部材であって、
前記二重床の上側と前記空間部との間で、前記配線ケーブルを案内する案内部と、前記仕上げ材に取り付けるための取付部とを有し、
前記案内部は、前記二重床の上側に突出する突出部を備え、その突出部に、前記二重床の上側に開口して前記配線ケーブルが挿通される開口部が設けられており、
前記取付部は、上部片と下部片とを備えるとともに、前記仕上げ材がその端部から前記上部片と前記下部片との間に差し込まれるように、前記仕上げ材に嵌められ、かつ、
前記ケーブル案内部材は、前記下部片が、前記床材の、上方を向くとともに前記空間部に臨む段部に嵌められることにより、前記段部に嵌まるようにして載置されることを特徴とするケーブル案内部材。
【請求項２】
上面を形成する仕上げ材の下方に、その仕上げ材が載る床材を備える床配線用の二重床において、配線ケーブルを、前記二重床内に設けられる上方に開口する空間部から引き出す、または前記空間部に引き込むための、ケーブル案内部材であって、
前記二重床の上側と前記空間部との間で、前記配線ケーブルを案内する案内部と、前記仕上げ材およびその仕上げ材の裏面側に重なって設けられた剛板に取り付けるための取付部とを有し、
前記案内部は、前記二重床の上側に突出する突出部を備え、その突出部に、前記二重床の上側に開口して前記配線ケーブルが挿通される開口部が設けられており、
前記取付部は、上部片と下部片とを備えるとともに、前記仕上げ材および前記剛板がそれらの端部から前記上部片と前記下部片との間に差し込まれるように、前記仕上げ材および前記剛板に嵌められ、かつ、
前記ケーブル案内部材は、前記空間部の前側部分を覆うようにして、そして、前記床材の、上方を向くとともに前記空間部に臨む段部に嵌まるようにして載置され、また、
前記剛板は、前記空間部の後側部分を覆うようにして、前記床材の前記段部に載置されることを特徴とするケーブル案内部材。
【請求項３】
前記空間部は、隣り合う前記床材間に形成される配線ピットであり、
前記ケーブル案内部材は、隣り合う前記床材の前記段部に架け渡されて前記配線ピットの上面側を塞ぐ蓋板の代わりに、前記配線ピットを覆うようにして、そして、隣り合う前記床材の前記段部に嵌まるようにして載置されることを特徴とする請求項１または２に記載のケーブル案内部材。
【請求項４】
前記ケーブル案内部材は、前記取付部を備える本体と、その本体に着脱可能に取り付けられて前記案内部を形成する補助部材とからなり、
前記本体は、前記補助部材の代わりに、前記開口部および前記突出部が設けられていない、上面がフラットなブランク材が取り付け可能となっていることを特徴とする請求項１ないし３のいずれか１項に記載のケーブル案内部材。
【請求項５】
請求項２に記載のケーブル案内部材と、そのケーブル案内部材が取り付けられる前記仕上げ材および前記剛板とからなり、
前記仕上げ材は、屈曲可能であって、前記ケーブル案内部材を取り付けるための被取付部を含む部分の周囲が、その周囲の一部である繋ぎ部を残して切れており、
前記仕上げ材の前記部分は、前記剛板および前記ケーブル案内部材とともに、前記繋ぎ部をヒンジにして開閉可能となることを特徴とするケーブル案内構造。
【発明の詳細な説明】
【０００１】
【発明の属する技術分野】
この発明は、床配線用の二重床において、配線ケーブルを二重床内の空間部から引き出したり引き込んだりするためのケーブル案内部材およびケーブル案内構造に関するものである。
【０００２】
【従来の技術】
従来、床配線用の二重床において、配線ケーブルを二重床内の空間部から引き出すためのケーブル案内部材としては、例えば、特開平８−１０９７３２に開示のものがあった。この案内部材２１は、図１６に示されるように、二重床２２の上面を形成する仕上げ材２３に上から載るようにして、その仕上げ材２３に面ファスナーによって取り付けられていた。そして、二重床２２内に設けられたコンセント２４に接続された配線ケーブル２５は、案内部材２１の開口部２６を通って外に引き出された。
【０００３】
【発明が解決しようとする課題】
ところで、前記従来のケーブル案内部材２１にあっては、仕上げ材２３に、上から載るとともに面ファスナーによって取り付けられるのみであり、この案内部材２１に人の足が触れたときに、案内部材２１が仕上げ材２３から外れる虞があった。
【０００４】
この発明は、上記した従来の欠点を解決するためになされたものであり、その目的とするところは、簡単には外れることのないケーブル案内部材およびケーブル案内構造を提供することにある。
【０００５】
【課題を解決するための手段】
この発明に係るケーブル案内部材およびケーブル案内構造は、前記目的を達成するために、次の構成からなる。すなわち、
請求項１に記載の発明に係るケーブル案内部材は、上面を形成する仕上げ材の下方に、その仕上げ材が載る床材を備える床配線用の二重床において、配線ケーブルを、前記二重床内に設けられる上方に開口する空間部から引き出す、または前記空間部に引き込むための、ケーブル案内部材である。このケーブル案内部材は、前記二重床の上側と前記空間部との間で、前記配線ケーブルを案内する案内部と、前記仕上げ材に取り付けるための取付部とを有する。ここで、前記案内部は、前記二重床の上側に突出する突出部を備え、その突出部に、前記二重床の上側に開口して前記配線ケーブルが挿通される開口部が設けられている。そして、前記取付部は、上部片と下部片とを備えるとともに、前記仕上げ材がその端部から前記上部片と前記下部片との間に差し込まれるように、前記仕上げ材に嵌められる。そして、このケーブル案内部材は、前記下部片が、前記床材の、上方を向くとともに前記空間部に臨む段部に嵌められることにより、前記段部に嵌まるようにして載置される。
【０００６】
このように、このケーブル案内部材は、仕上げ材に取り付けるための取付部が、上部片と下部片とを備えている。そして、ケーブル案内部材を仕上げ材に取り付ける際には、仕上げ材がその端部から上部片と下部片との間に差し込まれるように、その上部片と下部片とを備える取付部が、仕上げ材に嵌められる。こうして、取付部の上部片と下部片とが仕上げ材を挟み込むこととなり、このケーブル案内部材は、仕上げ材にしっかりと取り付けられる。しかも、ケーブル案内部材は、下部片が床材の段部に嵌められることにより、その段部に嵌まるようにして載置されており、こうして、このケーブル案内部材は、床材の段部に嵌まることで横ずれが防止され、この床材に確実に支持される。
【０００７】
また、請求項２に記載の発明に係るケーブル案内部材は、上面を形成する仕上げ材の下方に、その仕上げ材が載る床材を備える床配線用の二重床において、配線ケーブルを、前記二重床内に設けられる上方に開口する空間部から引き出す、または前記空間部に引き込むための、ケーブル案内部材である。このケーブル案内部材は、前記二重床の上側と前記空間部との間で、前記配線ケーブルを案内する案内部と、前記仕上げ材およびその仕上げ材の裏面側に重なって設けられた剛板に取り付けるための取付部とを有する。ここで、前記案内部は、前記二重床の上側に突出する突出部を備え、その突出部に、前記二重床の上側に開口して前記配線ケーブルが挿通される開口部が設けられている。そして、前記取付部は、上部片と下部片とを備えるとともに、前記仕上げ材および前記剛板がそれらの端部から前記上部片と前記下部片との間に差し込まれるように、前記仕上げ材および前記剛板に嵌められる。そこで、このケーブル案内部材は、前記空間部の前側部分を覆うようにして、そして、前記床材の、上方を向くとともに前記空間部に臨む段部に嵌まるようにして載置され、また、前記剛板は、前記空間部の後側部分を覆うようにして、前記床材の前記段部に載置される。
【０００８】
このように、このケーブル案内部材は、仕上げ材および剛板に取り付けるための取付部が、上部片と下部片とを備えている。そして、ケーブル案内部材を仕上げ材および剛板に取り付ける際には、仕上げ材および剛板がそれらの端部から上部片と下部片との間に差し込まれるように、それら上部片と下部片とを備える取付部が、仕上げ材および剛板に嵌められる。こうして、取付部の上部片と下部片とが仕上げ材および剛板を挟み込むこととなり、このケーブル案内部材は、仕上げ材および剛板にしっかりと取り付けられる。しかも、ケーブル案内部材は、空間部の前側部分を覆うようにして、そして、床材の段部に嵌まるようにして載置されており、こうして、このケーブル案内部材は、床材の段部に嵌まることで横ずれが防止され、この床材に確実に支持される。その上、剛板は、空間部の後側部分を覆うようにして、床材の段部に載置されて、その段部に支持され、したがって、仕上げ材および剛板に取り付けられるケーブル案内部材は、剛板を介すことでも床材に支持されることとなる。
【０００９】
また、請求項３に記載の発明に係るケーブル案内部材のように、請求項１または２に記載のケーブル案内部材において、前記空間部は、隣り合う前記床材間に形成される配線ピットであり、前記ケーブル案内部材は、隣り合う前記床材の前記段部に架け渡されて前記配線ピットの上面側を塞ぐ蓋板の代わりに、前記配線ピットを覆うようにして、そして、隣り合う前記床材の前記段部に嵌まるようにして載置されてもよい。
【００１０】
また、請求項４に記載の発明に係るケーブル案内部材のように、請求項１ないし３のいずれか1項に記載のケーブル案内部材において、前記ケーブル案内部材は、前記取付部を備える本体と、その本体に着脱可能に取り付けられて前記案内部を形成する補助部材とからなり、前記本体は、前記補助部材の代わりに、前記開口部および前記突出部が設けられていない、上面がフラットなブランク材が取り付け可能となっていてもよい。こうして、ケーブル案内部材は、取付部を備える本体と、案内部を形成する補助部材とに分かれており、案内部に備わる突出部における開口部のサイズが異なる各種の補助部材を用意しておくことで、さまざまな外径の配線ケーブルに対応することができる。また、配線ケーブルを引き出さない場合には、この補助部材の代わりに、開口部および突出部が設けられていない上面がフラットなブランク材を使用すれば、二重床の床上が前記突出部で出っ張ることがない。
【００１１】
【００１２】
また、請求項５に記載の発明に係るケーブル案内構造は、請求項２に記載のケーブル案内部材と、そのケーブル案内部材が取り付けられる前記仕上げ材および前記剛板とからなる。そして、前記仕上げ材は、屈曲可能であって、前記ケーブル案内部材を取り付けるための被取付部を含む部分の周囲が、その周囲の一部である繋ぎ部を残して切れており、前記仕上げ材の前記部分は、前記剛板および前記ケーブル案内部材とともに、前記繋ぎ部をヒンジにして開閉可能となっている。これにより、仕上げ材の前記部分は、剛板およびケーブル案内部材とともに、二重床内の空間部を開閉する蓋として機能し、配線ケーブルの設置作業や取外し作業を容易に行うことができる。しかも、このとき、ケーブル案内部材を、蓋として機能する仕上げ材の前記部分の、把手として利用することができる。
【００１３】
【００１４】
【発明の実施の形態】
以下、この発明に係るケーブル案内部材およびケーブル案内構造の実施の形態を図面に基づいて説明する。
【００１５】
図１ないし図７は、本発明に係るケーブル案内部材およびケーブル案内構造の第一の実施の形態を示す。図中符号１は、床配線用の二重床である。２は、前記二重床１の上面を形成する仕上げ材としての屈曲可能なカーペットである。そして、前記二重床１は、カーペット２の下方に、そのカーペット２が載る床材３、３を備えている。４は、ケーブル案内部材である。５は、ケーブル案内構造であって、前記ケーブル案内部材４と、そのケーブル案内部材４が取り付けられる前記カーペット２および後述する蓋材６とからなる。
【００１６】
ここで、床材３は、例えば、ポリプロピレン樹脂等の合成樹脂材料からなり、図３に示すように、床配線用の二重床１を形成すべく、複数が基礎床面Ｌ上に敷設される。そして、床材３は、平面視が略正方形で、上面が平らな所定高さの、ブロック状の本体部３ａを備えている。床材３は、この本体部３ａが、例えば、前後左右に通る配線ピット１ａを形成するように所定間隔をおいて基礎床面Ｌ上に配置される。そして、本体部３ａには、その上面の縁部全周に、帯状に一段下がった段部３ｂが形成されている。また、床材３は、配線ピット１ａ内に収容される配線ケーブルの上方を覆ってその配線ケーブルの飛び出しを防止する突出片３ｃが、本体部３ａと一体に樹脂成形されている。この突出片３ｃは、薄板状に形成されており、この材料の持つ弾性により、上下に撓むことができる。
【００１７】
また、床材２には、図３に示すように、その本体部３ａの各辺に、鉤状に折れ曲がった係合溝３ｄが形成されている。そして、略Ｓ字状に折れ曲がって形成された棒状の連結具７が、隣合って設置される床材３、３の係合溝３ｄ、３ｄに架け渡されている。また、床材３、３の上には、カーペット２、２が敷かれている。このカーペット２は、正方形形状をして、複数が床材３、３の上に敷きつめられており、その裏面には、十文字状に複数の、鉄板等からなる蓋板８、８が貼り付けられている。この蓋板８は、カーペット２、２が床材３、３の上に敷きつめられたとき、隣合う床材３、３の段部３ｂ、３ｂに架け渡されるようにして、配線ピット１ａの上面側を塞ぐ構造となっている。
【００１８】
また、床材３は、その上面に、前後左右に並ぶようにして、四角の枠形状をした溝３ｅ、３ｅが形成されている。そして、この溝３ｅの内側に位置する四角形の部分は、溝３ｅとの境界を切断することで分離することが可能な分離可能部３ｆとなっている。そこで、後述するケーブル案内部材４を取り付けるために、床材３から、分離可能部３ｆを除去すると、二重床１内に設けられる上方に開口する空間部としての収容空間１ｂが形成される。そして、前記溝３ｅは、上方を向くとともに前記収容空間１ｂに臨む段部３ｇとなる。そして、この段部３ｇには、前記収容空間１ｂの後側部分を覆うようにして、カーペット２の裏面側に重なって設けられた剛板としての、鉄板等からなる蓋材６が載置される。
【００１９】
ケーブル案内部材４は、床配線用の二重床１において、配線ケーブル９を、前記収容空間１ｂから引き出す、または収容空間１ｂに引き込むためのものであり、収容空間１ｂの前側部分を覆うようにして、そして、床材３の段部３ｇに、嵌まるようにして載置される。このとき、カーペット２は、ケーブル案内部材４と干渉しないように、一部が切除されている（図２参照）。そして、このケーブル案内部材４は、例えば、ＡＢＳ樹脂等の合成樹脂材料からなり、左右方向に並ぶ二つの案内部４ａと、取付部４ｂとを有している。案内部４ａは、二重床１の上側と収容空間１ｂとの間で、配線ケーブル９を案内するものである。この案内部４ａは、二重床１の上側に突出する突出部４ｃを備え、その突出部４ｃに、二重床１の上側に前方に向かって開口して配線ケーブル９が挿通される開口部としての第１の開口４ｄが設けられている。さらに、案内部４ａには、第１の開口４ｄに連通するとともに、前記収容空間１ｂに下方に向かって開口して配線ケーブル９が挿通される、第２の開口４ｅが設けられている。そして、これら第１の開口４ｄと第２の開口４ｅとの間は、下側が開放しており、その開放した部分から、配線ケーブル９を容易に案内部４ａ内に挿入できるようになっている。なお、配線ケーブル９は、先端にプラグ９ａが取り付けられており、そのプラグ９ａが、二重床１内の収容空間１ｂに収容されたコンセント１０に接続される。
【００２０】
取付部４ｂは、このケーブル案内部材４をカーペット２および前記蓋材６に取り付けるための部分であり、上部片４ｆと下部片４ｇとを備える。そして、取付部４ｂは、カーペット２および蓋材６がそれらの端部から上部片４ｆと下部片４ｇとの間に差し込まれるように、カーペット２および蓋材６に嵌められる。具体的には、上部片４ｆは、左右方向に並ぶ二つの案内部４ａ、４ａを、その中間の高さ位置で繋ぐとともに、さらに左右および後方に延びている。そして、下部片４ｇは、第１および第２の下部片４ｈ、４ｉからなる。第１の下部片４ｈは、上部片４ｆの下方に位置して、その上部片４ｆに対向するが、上部片４ｆよりも前後左右が若干短く形成されている。第２の下部片４ｉは、第１の下部片４ｈから蓋材６の肉厚分だけ下がった位置に、若干幅狭となって後方に延びて形成されている。こうして、取付部４ｂがカーペット２および蓋材６に嵌められると、蓋材６が第２の下部片４ｉに載り、カーペット２が第１の下部片４ｈに載るとともに上側を上部片４ｆで抑えられる。そして、カーペット２の、ケーブル案内部材４を取り付けるための被取付部２ａ（上部片４ｆと下部片４ｇとの間に差し込まれる部分）は、その先端部分２ｂが、幅狭となっており、この先端部分２ｂが、案内部４ａ、４ａ間に挿入されて、ケーブル案内部材４は、カーペット２に対して左右方向に位置決めされる（図２参照）。
【００２１】
また、カーペット２は、前記被取付部２ａを含む部分２ｃ（蓋材６と対応する部分を含む）の周囲が、その周囲の一部である繋ぎ部２ｄを残して切れている。そして、カーペット２の前記部分２ｃは、蓋材６およびケーブル案内部材４とともに、繋ぎ部２ｄをヒンジにして開閉可能となる（図４参照）。
【００２２】
次に、上記第一の実施の形態における、ケーブル案内部材４およびそのケーブル案内部材４を用いたケーブル案内構造５の作用効果について説明する。このケーブル案内部材４は、カーペット２および蓋材６に取り付けるための取付部４ｂが、上部片４ｆと下部片４ｇとを備えている。そして、ケーブル案内部材４をカーペット２および蓋材６に取り付ける際には、カーペット２および蓋材６がそれらの端部から上部片４ｆと下部片４ｇとの間に差し込まれるように、それら上部片４ｆと下部片４ｇとを備える取付部４ｂが、カーペット２および蓋材６に嵌められる。こうして、取付部４ｂの上部片４ｆと下部片４ｇとがカーペット２および蓋材６を挟み込むこととなり、このケーブル案内部材４は、カーペット２および蓋材６にしっかりと取り付けられる。したがって、このケーブル案内部材４は、カーペット２および蓋材６から簡単には外れることがない。
【００２３】
そして、ケーブル案内部材４が、床材３の段部３ｇに、嵌まるように載置されており、このケーブル案内部材４は、床材３の段部３ｇに嵌まることで横ずれが防止される。したがって、この床材３によってケーブル案内部材４を確実に支持することができる。さらに、ケーブル案内部材４の横ずれが防止されることから、ケーブル案内部材４を床材３の段部３ｇに載せる際の、床材３に対する位置決めを簡単に行うことができる。
【００２４】
また、蓋材６は、床材３の段部３ｇに載置されてその段部３ｇに支持されている。したがって、カーペット２および蓋材６に取り付けられるケーブル案内部材４は、蓋材６を介して床材３に支持されることとなる。こうして、床材３の段部３ｇに載置される蓋材６を介して、ケーブル案内部材４をしっかりと支持することができる。
【００２５】
また、カーペット２は、被取付部２ａを含む部分２ｃの周囲が、繋ぎ部２ｄを残して切れており、カーペット２の前記部分２ｃは、蓋材６およびケーブル案内部材４とともに、繋ぎ部２ｄをヒンジにして開閉可能となっている。こうして、カーペット２の前記部分２ｃは、蓋材６およびケーブル案内部材４とともに、二重床１内の収容空間１ｂを開閉する蓋として機能し、配線ケーブル９の設置作業や取外し作業を容易に行うことができる。しかも、このとき、ケーブル案内部材４を、蓋として機能する前記部分２ｃの、把手として利用することができる。
【００２６】
図８ないし図１５は、本発明に係るケーブル案内部材およびケーブル案内構造の第二の実施の形態を示す。この第二の実施の形態は、第一の実施の形態と比較すると、二重床１の構造は同一であるが、ケーブル案内部材の構造が異なり、また、収容空間１ｂの代わりに、床材３、３間の配線ピット１ａが、二重床１内に設けられる上方に開口する空間部となっている。以下、その異なる部分を主に説明する。
【００２７】
図中符号１１は、ケーブル案内部材である。１２は、ケーブル案内構造であって、ケーブル案内部材１１と、そのケーブル案内部材１１が取り付けられる仕上げ材としてのカーペット２とからなる。
【００２８】
ケーブル案内部材１１は、床配線用の二重床１において、配線ケーブル１３を、配線ピット１ａから引き出す、または配線ピット１ａに引き込むためのものである。このケーブル案内部材１１は、配線ピット１ａの上面側を塞ぐ蓋板８の一つが外されて、その外された部分に、配線ピット１ａを覆うようにして、そして床材３、３の段部３ｂ、３ｂに、嵌まるようにして載置されており、このケーブル案内部材１１は、蓋板８の代わりともなっている。このとき、カーペット２には、ケーブル案内部材１１と干渉しないように、長方形状に切除された切欠き部Ｋが形成されている（図９参照）。そして、このケーブル案内部材１１は、例えば、ＡＢＳ樹脂等の合成樹脂材料からなり、案内部１１ａと、取付部１１ｂとを有している。案内部１１ａは、二重床１の上側と配線ピット１ａとの間で、配線ケーブル１３を案内するものである。この案内部１１ａは、二重床１の上側に突出する突出部１１ｃを備え、その突出部１１ｃに、二重床１の上側に前方に向かって開口して配線ケーブル１３が挿通される開口部としての第１の開口１１ｄが設けられている。さらに、案内部１１ａには、第１の開口１１ｄに連通するとともに、配線ピット１ａに下方に向かって開口して配線ケーブル１３が挿通される、第２の開口１１ｅが設けられている。そして、これら第１の開口１１ｄと第２の開口１１ｅとの間は、下側が開放しており、その開放した部分から、配線ケーブル１３を容易に案内部１１ａ内に挿入できるようになっている。
【００２９】
取付部１１ｂは、このケーブル案内部材１１をカーペット２に取り付けるための部分であり、上部片１１ｆと下部片１１ｇとを備える。そして、取付部１１ｂは、カーペット２がその端部から上部片１１ｆと下部片１１ｇとの間に差し込まれるように、カーペット２に嵌められる。具体的には、上部片１１ｆは、案内部１１ａの中間の高さ位置から左右および後方に鍔状に延びている。下部片１１ｇは、上部片１１ｆの下方に位置して、その上部片１１ｆに対向するが、上部片１１ｆよりも前方が若干短く、後方および左右が若干長く形成されている。こうして、取付部１１ｂがカーペット２に嵌められると、カーペット２が下部片１１ｇに載るとともに上側を上部片１１ｆで抑えられる。そして、カーペット２の、ケーブル案内部材１１を取り付けるための被取付部２ａ（上部片１１ｆと下部片１１ｇとの間に差し込まれる部分であって前記切欠き部Ｋの周辺部分）は、案内部１１ａを左右で挟み込み、その結果、ケーブル案内部材１１は、カーペット２に対して左右方向に位置決めされる。
【００３０】
また、ケーブル案内部材１１は、案内部１１ａの前方に突出する突片１１ｈ、１１ｈを備えており、この突片１１ｈ、１１ｈと上部片１１ｆとの間に、前記カーペット２の前方に位置する他のカーペット２および、配線ピット１ａの上面側を塞ぐ蓋板８が差し込まれる。
【００３１】
そして、ケーブル案内部材１１は、本体１１ｉと、その本体１１ｉに着脱可能に取り付けられて前記案内部１１ａを形成する補助部材１１ｊとからなる。この補助部材１１ｊは、本体１１ｉの上部片１１ｆと上面が面一になる平板部１１ｋと、その平板部１１ｋから上方に突出する前記突出部１１ｃとからなる。そして、平板部１１ｋの前端面を除く各側面に形成された被係合部としての凸条１１ｍが、本体１１ｉに形成された係合部としての凹条１１ｎに係合することで、この補助部材１１ｊは、本体１１ｉに組み付けられる。
【００３２】
次に、上記第二の実施の形態における、ケーブル案内部材１１およびそのケーブル案内部材１１を用いたケーブル案内構造１２の作用効果について説明する。このケーブル案内部材１１をカーペット２に取り付ける際には、カーペット２がその端部から上部片１１ｆと下部片１１ｇとの間に差し込まれるように、それら上部片１１ｆと下部片１１ｇとを備える取付部１１ｂが、カーペット２に嵌められる。こうして、取付部１１ｂの上部片１１ｆと下部片１１ｇとがカーペット２を挟み込むこととなり、このケーブル案内部材１１は、カーペット２にしっかりと取り付けられる。したがって、このケーブル案内部材１１は、カーペット２から簡単には外れることがない。
【００３３】
そして、ケーブル案内部材１１が、床材３の段部３ｂに、嵌まるように載置されており、このケーブル案内部材１１は、床材３の段部３ｂに嵌まることで横ずれが防止される。したがって、この床材３によってケーブル案内部材１１を確実に支持することができる。さらに、ケーブル案内部材１１の横ずれが防止されることから、ケーブル案内部材１１を床材３の段部３ｂに載せる際の、床材３に対する位置決めを簡単に行うことができる。また、このとき、配線ピット１ａの上面側を塞ぐ蓋板８の一つが外されて、その外された部分に、このケーブル案内部材１１が載置されており、このケーブル案内部材１１が、外された蓋板８の代わりをしている。
【００３４】
また、ケーブル案内部材１１は、本体１１ｉと、第１の開口１１ｄが設けられた補助部材１１ｊとに分かれており、第１の開口１１ｄのサイズが異なる各種の補助部材１１ｊを用意しておくことで、さまざまな外径の配線ケーブル１３に対応することができる。ここで、図１４は、径小の配線ケーブル１３に対応させた補助部材１１ｊを用いた、ケーブル案内部材１１を示す。また、配線ケーブル１３を配線ピット１ａから引き出さない場合には、この補助部材１１ｊの代わりに、図１５に示すように、第１の開口１１ｄが設けられていない、つまりは突出部１１ｃが設けられていない、上面がフラットなブランク材Ｂを用いれば、二重床１の床上が前記突出部１１ｃで出っ張ることがない。
【００３５】
なお、本発明は、上述した実施の形態に限定されるわけではなく、その他種々の変更が可能である。例えば、第一の実施の形態において、カーペット２および蓋材６の両方が、ケーブル案内部材４における上部片４ｆと下部片４ｇとの間に差し込まれるように、取付部４ｂがカーペット２および蓋材６に嵌められなくとも、第２の下部片４ｉを削除する等により、カーペット２のみが上部片４ｆと下部片４ｇとの間に差し込まれるように、取付部４ｂがカーペット２のみに嵌められてもよい。
【００３６】
また、第一の実施の形態において、ケーブル案内部材４は、全体が一体に形成されなくとも、第二の実施の形態に示すケーブル案内部材１１のように、本体と、その本体に着脱可能に取り付けられて案内部４ａを形成する補助部材とからなってもよい。
【００３７】
また、第一の実施の形態において、例えば、ケーブル案内部材４の下部片４ｇを延設して、その下部片４ｇを蓋材６の代わりとする等により、蓋材６を省略してもよい。
【００３８】
また、第二の実施の形態において、カーペット２のみが、ケーブル案内部材１１における上部片１１ｆと下部片１１ｇとの間に差し込まれるように、取付部１１ｂがカーペット２のみに嵌められなくとも、カーペット２および蓋板８が、上部片１１ｆと下部片１１ｇとの間に差し込まれるように、取付部１１ｂがカーペット２および蓋板８に嵌められてもよい。この場合には、蓋板８が、カーペット２の裏面側に重なって設けられた剛板として機能する。
【００３９】
また、第二の実施の形態において、第一の実施の形態と同様に、カーペット２は、ケーブル案内部材１１を取り付けるための被取付部２ａを含む部分の周囲が、その周囲の一部である繋ぎ部を残して切れていてもよい。こうすることで、カーペット２の、被取付部２ａを含む前記部分は、ケーブル案内部材１１とともに、前記繋ぎ部をヒンジにして開閉可能となる。
【００４０】
【発明の効果】
以上、詳述したところから明らかなように、この発明に係るケーブル案内部材およびケーブル案内構造によれば、次の効果がある。
【００４１】
請求項１に記載されたケーブル案内部材によれば、取付部の上部片と下部片とが仕上げ材を挟み込むこととなり、このケーブル案内部材は、仕上げ材にしっかりと取り付けられる。したがって、このケーブル案内部材は、仕上げ材から簡単には外れることがない。しかも、ケーブル案内部材は、床材の段部に嵌まることで横ずれが防止され、この床材に確実に支持される。
【００４２】
また、請求項２に記載されたケーブル案内部材によれば、取付部の上部片と下部片とが仕上げ材および剛板を挟み込むこととなり、このケーブル案内部材は、仕上げ材および剛板にしっかりと取り付けられる。したがって、このケーブル案内部材は、仕上げ材および剛板から簡単には外れることがない。しかも、ケーブル案内部材は、床材の段部に嵌まることで横ずれが防止され、この床材に確実に支持される。その上、剛板は、床材の段部に載置されて、その段部に支持されるため、仕上げ材および剛板に取り付けられるケーブル案内部材は、剛板を介すことでも床材に支持される。
【００４３】
また、請求項３に記載されたケーブル案内部材によれば、加えて、ケーブル案内部材は、隣り合う床材間に形成される配線ピットの上面側を塞ぐ蓋板の代わりに、前記床材の段部に載置される。
【００４４】
また、請求項４に記載されたケーブル案内部材によれば、加えて、開口部のサイズが異なる各種の補助部材を用意しておくことで、さまざまな外径の配線ケーブルに対応することができる。また、配線ケーブルを引き出さない場合には、この補助部材の代わりに、開口部および突出部が設けられていない上面がフラットなブランク材を使用すれば、二重床の床上が前記突出部で出っ張ることがない。
【００４５】
【００４６】
また、請求項５に記載されたケーブル案内構造によれば、ケーブル案内部材における取付部の上部片と下部片とが仕上げ材および剛板を挟み込むこととなり、ケーブル案内部材は、仕上げ材および剛板にしっかりと取り付けられる。したがって、ケーブル案内部材は、仕上げ材および剛板から簡単には外れることがない。しかも、ケーブル案内部材は、床材の段部に嵌まることで横ずれが防止され、この床材に確実に支持される。その上、床材の段部に載置される剛板を介して、ケーブル案内部材をしっかりと支持することができる。さらに、仕上げ材における被取付部を含む部分は、剛板およびケーブル案内部材とともに、二重床内の空間部を開閉する蓋として機能するので、配線ケーブルの設置作業や取外し作業を容易に行うことができる。
【図面の簡単な説明】
【図１】この発明に係るケーブル案内部材およびケーブル案内構造の第一の実施の形態における、縦断面図である。
【図２】同じく、図１におけるＡ−Ａ線による断面図である。
【図３】同じく、カーペットを取り除いた状態を示す斜視図である。
【図４】同じく、カーペットの、被取付部を含む部分を開口した状態を示す斜視図である。
【図５】同じく、ケーブル案内部材の正面図である。
【図６】同じく、ケーブル案内部材の平面図である。
【図７】同じく、図５におけるＢ−Ｂ線による断面図である。
【図８】この発明に係るケーブル案内部材およびケーブル案内構造の第二の実施の形態における、縦断面図である。
【図９】同じく、図８におけるＣ−Ｃ線による断面図である。
【図１０】同じく、カーペットを取り除いた状態を示す斜視図である。
【図１１】同じく、ケーブル案内部材の正面図である。
【図１２】同じく、ケーブル案内部材の平面図である。
【図１３】同じく、ケーブル案内部材の右側面図である。
【図１４】同じく、ケーブル案内部材において、形状の異なる補助部材を用いた、図１１相当図である。
【図１５】同じく、ケーブル案内部材において、補助部材の代わりにブランク材を用いた、図１１相当図である。
【図１６】従来のケーブル案内部材を示す縦断面図である。
【符号の説明】
１  二重床                      １ａ  配線ピット（空間部）
１ｂ  収容空間（空間部）        ２  カーペット（仕上げ材）
２ａ  被取付部                  ２ｃ  部分
２ｄ  繋ぎ部                    ３  床材
３ｂ  段部                      ３ｇ  段部
４  ケーブル案内部材            ４ａ  案内部
４ｂ  取付部                    ４ｃ  突出部
４ｄ  第１の開口（開口部）      ４ｆ  上部片
４ｇ  下部片                    ５  ケーブル案内構造
６  蓋材（剛板）                ９  配線ケーブル
１１  ケーブル案内部材          １１ａ  案内部
１１ｂ  取付部                  １１ｃ  突出部
１１ｄ  第１の開口（開口部）    １１ｆ  上部片
１１ｇ  下部片                  １１ｉ  本体
１１ｊ  補助部材                １２  ケーブル案内構造
１３  配線ケーブル
Ｂ  ブランク材
【図１】
0003576078.tif 000002
【図２】
0003576078.tif 000003
【図３】
0003576078.tif 000004
【図４】
0003576078.tif 000005
【図５】
0003576078.tif 000006
【図６】
0003576078.tif 000007
【図７】
0003576078.tif 000008
【図８】
0003576078.tif 000009
【図９】
0003576078.tif 000010
【図１０】
0003576078.tif 000011
【図１１】
0003576078.tif 000012
【図１２】
0003576078.tif 000013
【図１３】
0003576078.tif 000014
【図１４】
0003576078.tif 000015
【図１５】
0003576078.tif 000016
【図１６】
0003576078.tif 000017